(57)【要約】【課題】      ポケットの開口部に手の指を差し込み易くしたバックを提供することである。【解決手段】  ポケット３の形状は正面壁を中央壁３ｂとこの中央壁３ｂを囲む外方に突出する様に湾曲した周辺壁３ａで形成されてポケット２の正面壁２ｄより前方に突出するように設けられ、周辺壁３ａは中央壁３ｂより大きな弾性を有する材料で形成されているので、周辺壁３ａが前方へ膨出状となって収納部Ｂの容積を広げている。  ポケット３の中に収納物を出し入れする時には、チャック７を開けて開口部３ｃに手の指を挿入して出し入れを行う。【選択図】        図４
2008200436.tif 000002
【特許請求の範囲】
【請求項１】
バック側面に設けたポケットの正面壁を中央壁とこの中央壁を囲む外方に突出する様に湾曲した周辺壁で形成したことを特徴とするバック。
【請求項２】
周辺壁は中央壁より大きな弾性を有する材料で形成したことを特徴とする請求項１記載のバック。
【請求項３】
中央壁にポケットに通じる開口部を設けたことを特徴とする請求項１又は２記載のバック。
【発明の詳細な説明】
【技術分野】
【０００１】
本発明は、ポケットを設けたバックに関する。
【背景技術】
【０００２】
釣りやレジャーには小さな釣具等を入れる魚釣り用のバック、かばんが用いられ、そのポケットを柔軟性を有する合成樹脂や織布等の材料で周囲を薄型に形成し、ポケットの正面壁全体を平面にすると共に、正面壁に開口部とスライドファスナ−を設けた場合、特許文献の様にポケットがつぶれて開口部に手の指を差し込むことがやりずらくなり、収納物の取り出しが難しくなる。
【特許文献１】特開平１０−５７１３６号公報
【発明の開示】
【発明が解決しようとする課題】
【０００３】
解決しようとする問題点は、ポケットの開口部に手の指を差し込むことがやりずらく、収納物の取り出しが難しいことである。
【０００４】
本発明の目的は前記欠点に鑑み、ポケットの開口部に手の指を差し込み易くしたバックを提供することである。
【課題を解決するための手段】
【０００５】
本発明の請求項１は、バック側面に設けたポケットの正面壁を中央壁とこの中央壁を囲む外方に突出する様に湾曲した周辺壁で形成したことを要旨とするものである。
本発明の請求項２は、周辺壁は中央壁より大きな弾性を有する材料で形成したことを要旨とするものである。
本発明の請求項３は、中央壁にポケットに通じる開口部を設けたことを要旨とするものである。
【発明の効果】
【０００６】
本発明により、ポケットは周辺壁が前方へ膨出状となって収納部の容積を広げて収納部から物の出し入れがしやすくなる。
また、周辺壁のクッション性により収納物が外部からの衝撃に対して保護される。
周辺壁で中央壁が前方に突出しているのでチャックを開けて開口部に手の指を挿入した時ポケットがつぶれていないので、収納部内に指が入れ易く、中の物が取り出し易くなる。
【発明を実施するための最良の形態】
【０００７】
ポケット３の形状は正面壁を中央壁３ｂとこの中央壁３ｂを囲む外方に突出する様に湾曲した周辺壁３ａで形成されてポケット２の正面壁２ｄより前方に突出するように設けられ、周辺壁３ａは中央壁３ｂより大きな弾性を有する材料で形成されているので、周辺壁３ａが前方へ膨出状となって収納部Ｂの容積を広げている。
ポケット３の中に収納物を出し入れする時には、チャック７を開けて開口部３ｃに手の指を挿入して出し入れを行うが、開口部３ｃが設けられた中央壁３ｂは周辺壁３ａによってポケット２の正面壁２ｄより前方に突出されているので、収納部Ｂの容積を広げていると共に、開口部３ｃに手の指を挿入してもポケット３がつぶれていないので、指が挿入し易くなり、収納部Ｂ内から物の出し入れがしやすくなる。
【実施例１】
【０００８】
以下、図示の実施例によって本発明を説明すると、図１から図４は第１実施例で図１はバックの斜視図、図２はバックの側面に固定されたポケットのみの拡大斜視図、図３はポケットの拡大断面側面図、図４はポケットの中央壁の開口部に手の指が差し込まれた拡大断面側面図である。
【０００９】
魚釣り用の筐体形のバック１の側面１ａに二つのポケット２、３が設けられている。
ポケット２は柔軟性を有するポリ塩化ビニ−ル、エチレン酢酸ビニ−ル等の合成樹脂のシ−トや織布を溶着や縫着で、つなぎ合わせて直方体形に形成して周縁を周回する外周壁２ａの端部２ｂをバック１の側面１ａに固定している。
外周壁２ａには開口部２ｃが形成されて開口部２ｃにチャック４が取り付けられている。
ポケット２の外周壁２ａの前側で正面壁２ｄの周囲には縁取り用のパイピング材５が固定されている。
ポケット２はバック１の側面１ａと外周壁２ａと正面壁２ｄで囲まれてその中に収納部Ａが構成されている。
【００１０】
ポケット２の前側にポケット３が設けられている。
ポケット３の正面壁はパイピング材５の前側にその外周から中央壁２ｄに向かって外方に突出する様に湾曲した周辺壁３ａが固定されて周辺壁３ａの前側周囲には縁取り用のパイピング材６が固定されている。
パイピング材６の前側に中央壁３ｂが固定され、中央壁３ｂは周辺壁３ａによって正面壁２ｄとの間隙が広がるように付勢されて配されている。
中央壁３ｂには左右横向きに延びる開口部３ｃが形成されて開口部３ｃにチャック７が取り付けられている。
中央壁３ｂは柔軟性を有するナイロン等の合成樹脂のシ−ト織布で形成されている。
周辺壁３ａはポリ塩化ビニ−ル、エチレン酢酸ビニ−ル等の合成樹脂のシ−トで中央壁３ｂの厚さより厚くかつ大きな弾性を有するシ−トで形成されている。
湾曲状の周辺壁３ａは上下左右のシ−トを互いに湾曲状になるように接合溶着（縫着）して形成している。
一体シ−トを加熱して湾曲状になるように成形してもよい。
ポケット３はポケット２の正面壁２ｄと周辺壁３ａと中央壁３ｂで囲まれてその中に収納部Ｂが構成されている。
【００１１】
前記のようにポケット３の形状は正面壁を中央壁３ｂとこの中央壁３ｂを囲む外方に突出する様に湾曲した周辺壁３ａで形成されてポケット２の正面壁２ｄより前方に突出するように設けられ、周辺壁３ａは中央壁３ｂより大きな弾性を有する材料で形成されているので、周辺壁３ａが前方へ膨出状となって収納部Ｂの容積を広げている。
ポケット３の中に収納物を出し入れする時には、チャック７を開けて開口部３ｃに手の指を挿入して出し入れを行うが、開口部３ｃが設けられた中央壁３ｂは周辺壁３ａによってポケット２の正面壁２ｄより前方に突出されているので、収納部Ｂの容積を広げていると共に、開口部３ｃに手の指を挿入してもポケット３がつぶれていないので、指が挿入し易くなり、収納部Ｂ内から物の出し入れがしやすくなる。
【００１２】
前記のようにバックが構成されると、ポケット３は周辺壁３ａが前方へ膨出状となって収納部Ｂの容積を広げて収納部Ｂから物の出し入れがしやすくなる。
また、周辺壁３ａのクッション性により収納物が外部からの衝撃に対して保護される。
周辺壁３ａで中央壁３ｂが前方に突出しているのでチャック７を開けて開口部３ｃに手の指を挿入した時ポケット３がつぶれていないので、収納部Ｂ内に指が入れ易く、中の物が取り出し易くなる。
【実施例２】
【００１３】
図５は第２実施例で、図５はポケットの拡大断面側面図である。
【００１４】
第２実施例のポケット２は外周壁２ａの端部２ｂがバック１の側面１ａに固定されている。
外周壁２ａの前側に縁取り用のパイピング材５が固定されている。
ポケット３の正面壁はパイピング材５の前側にその外周から中央壁３ｂに向かって外方に突出する様に湾曲した周辺壁３ａが固定されて周辺壁３ａの前側周囲には縁取り用のパイピング材６が固定されている。
パイピング材６の前側に中央壁３ｂが固定されている。
ポケット２の正面壁は省略されてポケット２の収納部Ａとポケット３の収納部Ｂが一体に構成されている。
他の構成は前記第１実施例と略同一である。
【実施例３】
【００１５】
図６は第３実施例で、図６はポケットの拡大断面側面図である。
【００１６】
第３実施例のポケット２は外周壁２ａの端部２ｂがバック１の側面１ａに固定されている。
外周壁２ａの前側に縁取り用のパイピング材５が固定されている。
外周壁２ａには開口部２ｃが形成されて開口部２ｃにチャック４が取り付けられている。
ポケット３の正面壁はパイピング材５の前側に外方に突出する様に湾曲した周辺壁３ａが固定されて周辺壁３ａの前側周囲には縁取り用のパイピング材６が固定されている。
パイピング材６の前側に中央壁３ｂが固定されている。
ポケット２の正面壁は省略されてポケット２の収納部Ａとポケット３の収納部Ｂが一体に構成されている。
他の構成は前記第１実施例と略同一である。
なお、前記説明ではポケット２をバック１の側面１ａに固定し、ポケット２にポケット３を取り付けたが、釣用衣服に、ポケット３の前側に突出する様に湾曲した周辺壁３ａを固定してもよい。
【産業上の利用可能性】
【００１７】
本発明はバックの全般に利用できる。
【図面の簡単な説明】
【００１８】
【図１】第１実施例で、バックの斜視図である。
【図２】同バックの側面に固定されたポケットのみの拡大斜視図である。
【図３】同ポケットの拡大断面側面図である。
【図４】同ポケットの中央壁の開口部に手の指が差し込まれた拡大断面側面図である。
【図５】第２実施例で、ポケットの拡大断面側面図である。
【図６】第３実施例で、ポケットの拡大断面側面図である。
【符号の説明】
【００１９】
１  バック
１ａ  側面
２、３  ポケット
３ａ  周辺壁
３ｂ  中央壁
３ｃ  開口部
【図１】
2008200436.tif 000003
【図２】
2008200436.tif 000004
【図３】
2008200436.tif 000005
【図４】
2008200436.tif 000006
【図５】
2008200436.tif 000007
【図６】
2008200436.tif 000008